(57)【要約】【課題】負荷変動の広い範囲にわたって安定であり、高周波域での耐リップル特性が良く、出力キャパシタの寄生抵抗に安定性を左右されない低ドロップアウト（ＬＤＯ）電圧調整器を提供する。【解決手段】比較的小さい寸法の電流制御素子を用いて開ループ利得に零を形成し、負荷電流の一部を出力負荷への合流の前に「零」抵抗器経由で流すようにした低ドロップアウト（ＬＤＯ）電圧調整器を提供する。負荷電流の主要部は寸法の比較的大きい電流制御素子を通じて流れ、これら二つの電流制御素子の両方を誤差増幅器（例えば演算増幅器）からの制御信号で制御する。上記「零」抵抗器の両端子の間に生ずる電圧がループ内の零の大きさおよび位相を代表する。この電圧を例えばバイパスキャパシタによりループ利得に加え、その結果得られる饋還信号を誤差増幅器に加え、この誤差増幅器が饋還信号を基準電圧と比較して制御信号を発生する。【選択図】図１
2006338665.tif 000002
【特許請求の範囲】
【請求項１】
負饋還増幅器システムであって、
電源電圧供給源に接続した第１の端子と、制御端子と、出力端子に接続した第２の端子とを有する第１の電流制御素子と、
出力安定化回路であって、
前記電圧供給源に接続した第１の端子、制御端子および第２の端子を有する第２の電流制御素子と、
前記第２の電流制御素子の前記第２の端子と前記出力端子との間に接続した第１の抵抗器と
を有する出力安定化回路と、
前記第２の電流制御素子の前記第２の端子に接続した少なくとも一つの入力端子と、前記第１および第２の電流制御素子の各々の前記制御端子に接続した出力端子とを有する増幅器と
を含む負饋還増幅器システム。
【請求項２】
前記第１および第２の電流制御素子の各々を、Ｐ型ＭＯＳＦＥＴ、Ｎ型ＭＯＳＦＥＴ、ＰＮＰ型バイポーラトランジスタおよびＮＰＮ型バイポーラトランジスタの一つで構成した請求項１記載の負饋還増幅器システム。
【請求項３】
前記第２の電流制御素子を構成するトランジスタの寸法の、前記第１の電流制御素子を構成するトランジスタの寸法に対する比が１よりも小さい請求項２記載の負饋還増幅器システム。
【請求項４】
前記出力安定化回路が、前記第２の電流制御素子の前記第２の端子と前記増幅器の前記入力端子との間に接続した高域フィルタをさらに含む請求項１記載の負饋還増幅器システム。
【請求項５】
前記第２の電流制御素子の前記第２の端子と前記増幅器の前記入力端子との間に接続した饋還ブロックをさらに含む請求項４記載の負饋還増幅器システム。
【請求項６】
前記高域フィルタ、前記饋還ブロックおよび基準電圧供給源に接続した少なくとも一つの入力端子と、前記増幅器の第１の入力端子に接続した出力端子とを有する加算回路をさらに含む請求項５記載の負饋還増幅器システム。
【請求項７】
前記高域フィルタがバイパスキャパシタを含む請求項４記載の負饋還増幅器システム。
【請求項８】
入力端子と出力端子とを有する低ドロップアウト（ＬＤＯ）電圧調整器であって、
前記入力端子に接続した第１の端子と、制御端子と、前記出力端子に接続した第２の端子とを有する第１の電流制御素子と、
出力安定化回路であって、
前記入力端子に接続した第１の端子、制御端子および第２の端子を有する第２の電流制御素子と、
前記第２の電流制御素子の前記第２の端子と前記出力端子との間に接続した第１の抵抗器と
を有する出力安定化回路と、
前記出力安定化回路に接続した第１の入力端子と、基準電圧供給源に接続した第２の入力端子と、前記第１および第２の電流制御素子の各々の前記制御端子に接続した出力端子とを有する誤差増幅器と
を含む低ドロップアウト（ＬＤＯ）電圧調整器。
【請求項９】
前記第１および第２の電流制御素子の各々を、Ｐ型ＭＯＳＦＥＴ、Ｎ型ＭＯＳＦＥＴ、ＰＮＰ型バイポーラトランジスタおよびＮＰＮ型バイポーラトランジスタの一つで構成した請求項８記載のＬＤＯ電圧調整器。
【請求項１０】
前記第２の電流制御素子を構成するトランジスタの寸法の、前記第１の電流制御素子を構成するトランジスタの寸法に対する比が１よりも小さい請求項９記載のＬＤＯ電圧調整器。
【請求項１１】
前記出力安定化回路が、前記第２の電流制御素子の前記第２の端子に接続した第１の端子と前記誤差増幅器の前記第１の入力端子に接続した第２の端子とを有する饋還キャパシタをさらに含む請求項８記載のＬＤＯ電圧調整器。
【請求項１２】
前記誤差増幅器が演算増幅器を含み、
前記第１の入力端子が前記演算増幅器の非反転入力端子であり、
前記第２の入力端子が前記演算増幅器の反転入力端子である
請求項８記載のＬＤＯ電圧調整器。
【請求項１３】
可搬型デバイスであって、
入力信号を生ずる電源と、
負荷回路と、
前記電源に接続した入力端子と前記負荷回路に接続した出力端子とを有する電圧調整器と
を含み、
前記電圧調整器が、
前記入力端子に接続した第１の端子と、前記出力端子に接続した第２の端子とを有する第１の電流制御素子と、
出力安定化回路であって、
前記入力端子に接続した第１の端子と、制御端子と、第２の端子とを有する第２の電流制御素子と、
前記第２の電流制御素子の前記第２の端子と前記出力端子との間に接続した第１の抵抗器と
を有する出力安定化回路と、
前記出力安定化回路に接続した第１の入力端子と、基準電圧供給源に接続した第２の入力端子と、前記第１および第２の電流制御素子の各々の前記制御端子に接続した出力端子とを有する誤差増幅器と
を含む可搬型デバイス。
【請求項１４】
前記第１および第２の電流制御素子の各々を、Ｐ型ＭＯＳＦＥＴ、Ｎ型ＭＯＳＦＥＴ、ＰＮＰ型バイポーラトランジスタおよびＮＰＮ型バイポーラトランジスタの一つで構成した請求項１３記載の可搬型デバイス。
【請求項１５】
前記第２の電流制御素子を構成するトランジスタの寸法の、前記第１の電流制御素子を構成するトランジスタの寸法に対する比が１よりも小さい請求項１３記載の可搬型デバイス。
【請求項１６】
前記出力安定化回路が、前記第２の電流制御素子の前記第２の端子に接続した第１の端子と前記誤差増幅器の前記第１の入力端子に接続した第２の端子とを有する饋還キャパシタをさらに含む請求項１３記載の可搬型デバイス。
【請求項１７】
出力端子と固定電圧供給源との間に第２の抵抗器と直列に接続した第１の抵抗器を有する饋還ブロックをさらに含み、前記第１および第２の抵抗器の間のノードを前記誤差増幅器の前記第１の入力端子に接続した請求項１６記載の可搬型デバイス。
【請求項１８】
前記誤差増幅器が演算増幅器を含み、
前記第１の入力端子が前記演算増幅器の非反転入力端子であり、
前記第２の入力端子が前記演算増幅器の反転入力端子である
請求項１３記載の可搬型デバイス。
【請求項１９】
前記可搬型デバイスが、セルラー無線ディジタル加入者電話システム用ハンドセット、コードレス電話機、ページャー、パーソナル無線ディジタル機器、可搬型パーソナルコンピュータ、およびディジタルカメラのうちの一つを含む請求項１３記載の可搬型デバイス。
【請求項２０】
前記負荷回路および前記電圧調整器を単一の半導体基板に一体的に形成した請求項１３記載の可搬型デバイス。
【発明の詳細な説明】
【技術分野】
【０００１】
この発明は電子回路に関し、より詳しくいうと、低ドロップアウト（ＬＤＯ）電圧調整器などの負饋還増幅器システムに関する。
【背景技術】
【０００２】
低ドロップアウト（ＬＤＯ）電圧調整器は、セルラー電話システム用加入者ハンドセット、コードレス電話機、ページャー、パーソナルディジタル機器、可搬型パーソナルコンピュータ、ディジタルカメラなどの可搬型の電池駆動式デバイスにおいて安定直流（ｄｃ）電圧の発生に用いられる。低ドロップアウト（ＬＤＯ）電圧調整器に対する需要は、上記のような可搬型デバイスの利用の広がりに伴って増加してきた。
【０００３】
ＬＤＯ電圧調整器は、低ドロップアウト電圧（すなわち、電池または変圧器からの供給電圧など未調整の入力電圧と調整（安定化）ずみの出力電圧との間の差が最小であること）を特徴とする。上記未調整の入力電圧が上記調整ずみの出力電圧とドロップアウト電圧との和よりも低くなると、ＬＤＯ電圧調整器は調整ずみ出力電圧のレベルを維持できなくなる（すなわち、電圧調整範囲から外れる）。したがって、ＬＤＯ電圧調整器は、このドロップアウト電圧を最小に抑えることによって、単一の電池電源による可搬型デバイスの動作時間を長くすることができる。すなわち、ＬＤＯ電圧調整器のドロップアウト電圧を低下させれば、電池の放電が上記調整ずみ出力電圧１００−５００ミリボルトの範囲まで進んでも、ＬＤＯ電圧調整器は調整ずみ電圧の供給を続けることによって電池の寿命を実効的に延ばすことができる。
【０００４】
図４は負荷５０に接続した慣用のＬＤＯ電圧調整器１０を示す。ＬＤＯ電圧調整器１０は、演算増幅器１１，ＰＭＯＳトランジスタＭ、饋還抵抗器Ｒ１１およびＲ１２，および基準電圧源ＶＲＥＦを備える。負荷５０は抵抗性負荷ＲＬおよび容量性負荷ＣＬで示してある。動作時には、ＰＭＯＳトランジスタＭの一つの端子に入力電圧ＶＩＮを電源（図示してない）から供給し、このＰＭＯＳトランジスタＭ経由で負荷５０に供給された出力電圧ＶＯＵＴの一部を饋還抵抗器Ｒ１１およびＲ１２により演算増幅器１１の非反転入力端子に饋還する。演算増幅器１１の反転入力端子には、基準電圧源ＶＲＥＦから安定な基準電圧を供給する。演算増幅器１１は、上記饋還電圧および基準電圧に応答して出力信号を生じ、それによってＰＭＯＳトランジスタの出力電圧ＶＯＵＴを調整するように制御する。容量性負荷ＣＬの容量値が約１μＦ以上の場合は、この回路は既知の手法により安定化させることができる。この回路に伴うもう一つの制約は、容量性負荷の等価直列抵抗が低く安定した値を有する必要があることである。
【０００５】
ＬＤＯ電圧調整器の慣用の電圧制御ループには二つの支配的な極がある。第１の極は負荷等価抵抗器と負荷キャパシタの出力で生ずる。第２の極は制御誤差増幅器（例えば演算増幅器１１）で生ずる。このシステムのループ利得は大きいので、閉ループ応答はかなりダンピング不足になる。制御ループを改良し安定化させる一つの方法は、ループ利得に零を加えるやり方である。そのような零の形成のための慣用の効果的手法は、負荷容量に直列に抵抗を挿入する手法である。しかし、この手法には、高周波域の擾乱（例えば負荷変動または配電線上のリップルによる）を実効的に軽減できないという欠点がある。また、負荷容量の寄生直列インピーダンスは、コストの高いキャパシタを用いない限り十分には軽減できない。上記零が制御誤差増幅器に形成されることもあるが、そのためには抵抗値を大きくする必要があり、シリコンチップ上での形成に不都合である。
【０００６】
【特許文献１】ＵＳＰ  ５  ６８６  ８２１
【特許文献２】ＵＳＰ  ６  ３７３  ２３３
【特許文献３】ＵＳＰ  ６  ６０３  ２９２
【発明の開示】
【発明が解決しようとする課題】
【０００７】
したがって、この発明の目的は、広い範囲の負荷条件で安定であり、高周波域においてもリップル耐性が低下せず、出力キャパシタ寄生抵抗に安定性を損なわれることの少ない低ドロップアウト（ＬＤＯ）電圧調整器などの改良型負饋還増幅器システムを提供することである。
【課題を解決するための手段】
【０００８】
この発明は、改良型の負饋還増幅器システム（例えば制御回路）、すなわち、出力電圧への合流の前に「零」抵抗器経由で出力電流の一部を分流する開ループ利得に零を形成する新たな手法を用いる負饋還増幅器システムを対象とする。上記の部分出力電流に応答して上記「零」抵抗器に生ずる電圧信号は、開ループ伝達関数の中の零の大きさおよび位相の相似信号であり、制御ループの中の任意の適切なノードに饋還して位相余裕を増大させ、それによってこの増幅器システムの安定性とステップ応答とを改善できる。例えば、この電圧信号は、誤差増幅器の入力端子に接続したバイパスキャパシタを用いてループ利得に加えることができる。そうすることによって、この電圧信号は、不可避的な寄生阻止のために低い安定性を免れない慣用の饋還ループに比べて、位相余裕を改善できる。
【０００９】
この発明の一つの実施例によると、可搬型デバイスは、電池（またはそれ以外の電源）と、負荷回路と、それら電池および負荷回路の間に接続したＬＤＯ電圧調整器とを含む。ＬＤＯ電圧調整器は、第１の電流制御素子と、出力安定化回路と、誤差増幅器とを備える。その第１の電流制御素子は、未調整の電池電圧の一部を、誤差増幅器の発生した制御信号に応答して、負荷回路に通す。出力安定化回路は、電池と負荷回路との間に直列に（すなわち、第１の電流制御素子に並列に）接続した第２の電流制御素子および「零」抵抗器とを備える。第２の電流制御素子は誤差増幅器からの制御信号による制御も受けるが、その制御は第１の電流制御素子が受ける制御ほどには強くない。したがって、負荷回路に供給される出力信号は、第１のスイッチング回路を通ってきた主要部分と、「零」抵抗器を通ってきた副次的部分との両方を含む。第２の電流制御素子と「零」抵抗器との間にあるノードで発生した零信号を、例えばバイパスキャパシタにより、饋還信号に加え、その饋還信号を誤差増幅器で固定の基準電圧と比較して制御信号を発生する。これら二つの饋還信号を加算する前に、出力信号を慣用の手法で出力電圧レベル設定用に分圧することができる。上記零信号と饋還信号分圧値との加算の代わりに、誤差増幅器内の適切な点で零信号を挿入して、ループ利得の中の零の所望の効果を達成することもできる。
【発明の効果】
【００１０】
セルラー電話システム用加入者ハンドセットなどの可搬型デバイスの内蔵電池の寿命を実効的に延ばすことができる。
【発明を実施するための最良の形態】
【００１１】
この明細書で用いる用語「結合した」は零以上の能動素子または受動素子を含む二つの素子の間の電気的経路を形成したことを意味し、「接続した」は導電性ワイヤまたは条片で二つの素子間の直接接続を形成したことを意味する。
【００１２】
図１はこの発明の一般化した実施例による負饋還増幅器システム１１０を示す。この増幅器システム１１０を電圧源ＶＳＵＰＰＬＹと容量性負荷回路１５０との間に接続する。図示の単純化のために容量性負荷回路１５０は負荷抵抗器ＲＬおよび負荷キャパシタＣＬで構成されるものとして示してある。増幅器システム１１０は基準電圧源１１４から基準電圧ＶＲＥＦを受ける。この基準電圧源１１４は増幅器システム１１０と一体に形成することもでき、外付けの信号源として形成することもできる。この種の負饋還増幅器システムの動作は当業者に周知のとおりである。
【００１３】
増幅器システム１１０は、ループ増幅器１１３と、出力デバイス（第１の電流制御素子）Ｍ１と、出力安定化回路１１５と、加算回路１１６と、饋還ブロック１１７とを含む。負饋還制御回路およびループ増幅器１１３の特性は饋還信号ＶＳ、すなわち少なくとも一部は出力電圧ＶＯＵＴから抽出され、制御信号ＶＣＮＴＬの発生に使われる饋還信号ＶＳによって制御される。制御信号ＶＣＮＴＬは出力デバイスＭ１と出力安定化回路１１５とを制御して出力電圧ＶＯＵＴを所望のレベルに維持するようにする。出力デバイスＭ１は電源電圧ＶＳＵＰＰＬＹに接続した第１の端子と、制御端子と、出力端子１１２に接続した第２の端子とを備える。出力デバイスＭ１は任意の適当な能動デバイス（例えばＰ型ＭＯＳＦＥＴ、Ｎ型ＭＯＳＦＥＴ、ＰＮＰバイポーラトランジスタ、またはＮＰＮバイポーラトランジスタ）を備え、出力負荷電流ＩＬの大部分を供給できる寸法を備える。出力安定化回路１１５は、電源電圧ＶＳＵＰＰＬＹと出力端子１１２との間に「零発生用」（第１の）抵抗器ＲＺと直列に接続した第２の出力デバイス（第２の電流制御素子）Ｍ２を含む。出力デバイスＭ２は、出力デバイスＭ１と等価（すなわち、整合を確保し電流比を画定するために同じＮＭＯＳまたはＰＭＯＳ）であるがＩＬの一部の一定値を供給する寸法にしてある。出力端子１１２への印加の前に出力デバイスＭ２からの電流を抵抗器ＲＺを通すことによって、ノードＸ（出力デバイスＭ２と抵抗器ＲＺとの間）に、ループ利得に零を挿入したときと同じ位相・振幅を表す信号電圧を生じさせる。この信号電圧を上記ループ内の好適な点に加えることによって、このループの位相余裕が大きくなり、安定性、周波数応答および過渡応答が改善される。上記好適な点の例を図１に加算回路１１６への入力として示してある。上記挿入点（例えば加算回路１１６の入力端子）のＤＣ電圧値に悪影響が及ばないようにするために、例えばバイパスキャパシタから成る高域フィルタ１１８を図示のとおり挿入する。饋還ブロック１１７は、ＶＯＵＴの所定の一部を加算回路１１６に印加するための抵抗分圧器を含む。
【００１４】
図２Ａおよび図２Ｂは、この発明の開ループ利得および位相特性に及ぼす効果を慣用の負饋還増幅回路に比較したボード線図である。図２Ａに示すとおり、この発明の負饋還増幅回路は、低周波数域では、慣用の負饋還増幅回路とほぼ同じ動作特性を示す。しかし、高い周波数領域では、この発明の負饋還増幅回路の開ループ利得１６５の減少は緩やかになり、周波数ω２で利得０ｄＢの点と交叉する。図示のとおり、周波数ω２の点は慣用の負饋還増幅回路の開ループ利得１６０に伴う利得０ｄＢ対応の周波数よりも実質的に高い。高周波数領域において上述のとおり増加した利得の位相余裕に及ぼす効果は図２Ｂに示すとおりである。すなわち、慣用の負饋還増幅回路の開ループ位相１７０が０ｄＢ利得点ω１で比較的小さい位相余裕１８０を生じ、その余裕値がより高い周波数領域でも改善されないのに対して、この発明の負饋還増幅回路の開ループ位相１７５は０ｄＢ利得点ω２における利得でより大きい（改良された）位相余裕１８５を生ずる。したがって、これらの図に示したとおり、この発明は安定度改善のための位相余裕を生ずる。この位相余裕の改善は、負荷に急激な変動が生じても調整ずみの出力電圧ＶＯＵＴは急速に正常値に戻れることを意味する。
【００１５】
図３は、この発明の実施例によるＬＤＯ電圧調整器（負饋還増幅回路）を含む可搬型デバイスの単純化した構成図を示す。可搬型デバイス２００は、例えば、セルラー電話システム用ハンドセット、コードレス電話機、ページャー、パーソナルディジタル機器、可搬型パーソナルコンピュータ、ディジタルカメラなどであって、電池２０５および負荷ＩＣ２５０を含む。図示の単純化のために、負荷ＩＣ２５０は負荷抵抗ＲＬおよび負荷キャパシタンスで表示してある。ＬＤＯ電圧調整器２１０は電池２０５からの未調整入力電圧ＶＩＮを入力端子２１１に受け、調整ずみの出力信号ＶＯＵＴを出力端子２１２に生じ、それを負荷ＩＣ２５０に供給して可搬型デバイス２００を動作状態にする。
【００１６】
ＬＤＯ電圧調整器２１０は、入力端子２１１と出力端子２１２との間に接続または結合した（第１の）電流制御素子Ｍ１と、この電流制御素子Ｍ１の制御端子に印加する制御電圧ＶＣＮＴＬを生ずる誤差増幅器２１３と、出力安定化回路２１５とを含む。電流制御素子Ｍ１は、一つの実施例では、ＰＭＯＳまたはＮＭＯＳトランジスタで構成してあり、もう一つの実施例ではＰＮＰまたはＮＰＮバイポーラトランジスタで構成してある。誤差増幅器２１３は、基準電圧源２１４に接続した反転入力端子とノードＹに接続した非反転入力とを備える演算増幅器で構成され、周知の手法により制御電圧ＶＣＮＴＬを生ずる。出力安定化回路２１５は入力端子２１１と出力端子２１２との間に電流制御素子Ｍ１と並列に接続され、容量ＣＢＰのバイパスキャパシタ（高域フィルタ）２１８経由でノードＹに安定化信号を供給する。饋還ブロック２１７は抵抗器Ｒ１１およびＲ１２から成る分圧器を含み、出力電圧ＶＯＵＴの一部をノードＹに饋還し、その饋還電圧を上記安定化信号と合成して、誤差増幅器２１３の非反転端子への電圧ＶＦＢを生ずる。
【００１７】
この発明の一つの実施例によると、出力安定化回路２１５は（第２の）電流制御素子Ｍ２と、「零発生」抵抗器ＲＺと、バイパスキャパシタ２１８とを含む。電流制御素子Ｍ２は、入力端子２１１に接続した第１の端子と、誤差増幅器２１３の出力端子に接続した制御端子と、ノードＮに接続した第２の端子とを備える。抵抗器ＲＺ（二つ以上の個別の抵抗器で構成することもできる）をノードＮと出力端子２１２との間に接続する。バイパスキャパシタ２１８はノードＮに接続した第１の端子と、ノードＹに接続した第２の端子とを備える。
【００１８】
この発明によると、出力安定化回路２１５は負荷電流ＩＬの一部をその電流ＩＬが負荷ＩＣ２５０に加わる前に抵抗器ＲＬ経由で供給する。抵抗器ＲＬの両端子に生ずる電圧は、開ループ利得の伝達関数のラプラス変換の零（すなわち、安定化回路２１５および負荷ＩＣ２５０の合成回路を表す有理ラプラス変換関数の中の零）の大きさおよび位相を代表する。この代表信号の交流成分だけを直流分阻止用のバイパスキャパシタ２１８経由でノードＹの信号に重畳する。負荷電流は電流制御素子（例えばＰＭＯＳトランジスタ）Ｍ１およびＭ２の寸法（すなわちチャンネル幅）で定まる。これら寸法の比Ｍ２／Ｍ１をｎとする（通常はｎ≪１）と、零信号の値ＶＺはＣＬ＊ｎＲＺ＊ＲＬ／（ｎＲＺ＋ＲＬ）にほぼ等しい、すなわち大抵の場合はＣＬ＊ｎＲＺを近似値とする時定数を有する。出力安定化回路を上述のように用いることによる利点は、広い範囲の負荷に安定な出力電圧ＶＯＵＴを供給できること、高周波数領域におけるリップル消去の低下（従来の手法による場合に問題となる）を回避できることである。また、出力安定化回路２１５の発生する零を、従来の手法による場合よりも高精度で制御できる。すなわち、負荷キャパシタンスの寄生抵抗など制御不可能な因子への依存が少ないからである。また、出力安定化回路２１５は全部集積回路に組み入れ可能である（すなわち、負荷ＩＣ２５０と同一の基板にそれと同一のプロセスを用いて集積化できる）。
【００１９】
一つの実施例では、可搬型デバイス２００はセルラー無線ディジタル加入者電話システム用ハンドセットであり、約４Ｖの未調整入力電圧ＶＩＮを供給する電池を内蔵している。負荷抵抗器ＲＬの抵抗値は実効的に３０オームであり、負荷キャパシタの容量は１μＦである。この場合、電圧制御素子Ｍ１およびＭ２は寸法５００００／０．５μｍおよび１００／０．５μｍのＰＭＯＳトランジスタでそれぞれ構成し、零抵抗器ＲＺの抵抗値は８０オームであり、バイパスキャパシタ２１８の容量は３０μＦである。ＶＲＥＦは周知の手法により１．２５Ｖに維持した。
【００２０】
この発明を特定の実施例によって上に説明してきたが、これら実施例以外にもこの発明を適用できることは当業者には明らかに理解されよう。上記特定の実施例以外のそれら変形もこの発明の範囲に含めることを意図するものである。例えば、上記実施例はＬＤＯ電圧調整器と関連づけて述べたが、出力安定化回路２１５は、ある程度以上の大きさの容量性負荷を有する（すなわち、容量性出力負荷がループ利得の中で支配的な極を形成する）任意の負饋還制御回路にも用いることができる。
【産業上の利用可能性】
【００２１】
セルラー無線ディジタル加入者電話システム用ハンドセット、コードレス電話機などの内蔵電池の寿命を延ばすのに有効である。
【図面の簡単な説明】
【００２２】
【図１】この発明の一つの一般化した実施例による負饋還増幅器システムの概略図。
【図２Ａ】図１の負饋還増幅器システムの動作特性図。
【図２Ｂ】図１の負饋還増幅器システムの動作特性図。
【図３】この発明の実施例によるＬＤＯ電圧調整器を含む可搬型デバイスの概略図。
【図４】慣用のＬＤＯ電圧調整器の概略図。
【符号の説明】
【００２３】
１０      低ドロップアウト（ＬＤＯ）電圧調整器
１１      演算増幅器
５０      負荷
１１０    負饋還増幅器システム
１１２    出力端子
１１３    ループ増幅器
１１４    基準電圧供給源
１１５    出力安定化回路
１１６    加算回路
１１７    饋還ブロック
１１８    高域フィルタ
１５０    負荷回路
【図１】
2006338665.tif 000003
【図２Ａ】
2006338665.tif 000004
【図２Ｂ】
2006338665.tif 000005
【図３】
2006338665.tif 000006
【図４】
2006338665.tif 000007